Podtech/llm-jp-corpus-v4-ja_patent huggingface dataset:
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
熱密封部材（９００，１０００，１１００）であって、
連続セラミックストランド（１１０，５１０）、
連続荷重軽減処理補助ストランド（１２０）であって、前記連続セラミックストランド（１１０，５１０）が、前記連続荷重軽減処理補助ストランド（１２０）に送られる、連続荷重軽減処理補助ストランド（１２０）、及び
第１の金属合金ワイヤ（３１０）
を備える単層セラミック系ニットファブリックを備え、
前記連続セラミックストランド（１１０，５１０）、前記連続荷重軽減処理補助ストランド（１２０）、及び前記第１の金属合金ワイヤ（３１０）が、前記単層セラミック系ニットファブリックを形成するために編まれる、熱密封部材。
【請求項２】
第２の金属合金ワイヤ（５２０、６２０）を更に備え、前記第２の金属合金ワイヤが、前記セラミック系ニットファブリック内に嵌め込まれ、前記第１の金属合金ワイヤ（３１０）の直径よりも前記第２の金属合金ワイヤ（５２０、６２０）の直径が大きい、請求項１に記載の熱密封部材。
【請求項３】
前記第２の金属合金ワイヤ（５２０）が、前記単層セラミック系ニットファブリックのニット方向と平行に位置合わせされ、或いは、前記第２の金属合金ワイヤ（６２０）が、前記単層セラミック系ニットファブリックのニット方向に対して角度付けられる、請求項２に記載の熱密封部材。
【請求項４】
前記単層セラミック系ニットファブリックが、緯編地又は経編地である、請求項１から３のいずれか一項に記載の熱密封部材。
【請求項５】
前記熱密封部材の内部に位置付けられた防熱材を更に備える、請求項１から４のいずれか一項に記載の熱密封部材。
【請求項６】
前記熱密封部材が、Ｍ形状のダブルブレードバルブシール、オメガ形状のバルブシール、及びｐ形状のバルブシールから選択される、請求項１から５のいずれか一項に記載の熱密封部材。
【請求項７】
前記熱密封部材が、前記熱密封部材の高さの少なくとも１０％から最大８０％までの可逆な弾性撓みを有する、請求項１から６のいずれか一項に記載の熱密封部材。
【請求項８】
前記連続荷重軽減処理補助ストランド（１２０）が、有機繊維、ポリマー材料、金属、金属合金、５００℃以上の温度に対して耐性のある耐高温セラミックストランド、及びそれらの組み合わせのうちの少なくとも一つである、請求項１から７のいずれか一項に記載の熱密封部材。
【請求項９】
熱密封部材を形成する方法であって、
単一の材料供給器を通して、連続セラミックストランド（１１０，５１０）及び連続荷重軽減処理補助ストランド（１２０）を、第２の材料供給器を通して、第１の金属合金ワイヤ（３１０）を同時に供給すること、
単層セラミック系ニットファブリックを形成するため、前記セラミックストランド（１１０，５１０）、前記連続荷重軽減処理補助（１２０）ストランド、及び前記第１の金属合金ワイヤ（３１０）を同時に編むことであって、このとき前記金属合金ワイヤ（３１０）が軟質状態である、前記編むこと、並びに
前記単層セラミック系ニットファブリック（５００，６００，７００）を前記熱密封部材の形状になるように形成すること
を含む方法。
【請求項１０】
第２の金属合金ワイヤ（５２０、６２０）を前記セラミック系ニットファブリック内に織り交ぜることを更に含む、請求項９に記載の方法。
【請求項１１】
成形された前記熱密封部材の内部に防熱材を追加することを更に含む、請求項９または１０に記載の方法。
【請求項１２】
平編みプロセス又は筒編みプロセスのいずれかを用いて同時に編むことが実行される、請求項９から１１のいずれか一項に記載の方法。
【請求項１３】
前記単層セラミック系ニットファブリックが、緯編みプロセス又は経編みプロセスを用いて形成される、請求項９から１２のいずれか一項に記載の方法。
【請求項１４】
前記第１の金属合金ワイヤ（３１０）を硬化するため、形成された前記熱密封部材を熱処理することを更に含む、請求項９から１３のいずれか一項に記載の方法。
【手続補正書】
【提出日】令和1年6月4日(2019.6.4)
【手続補正１】
【補正対象書類名】明細書
【補正対象項目名】００４４
【補正方法】変更
【補正の内容】
【００４４】
以上の様な構成を有する前記取付板部５４ａは、前記ブリッジ板部５５ａの剛性を、前記１対のサイド板部５６ａ、５６ａの剛性よりも高くしている。この為に、本例の場合、前記ブリッジ板部５５ａの後端寄り部分及び前後方向中間部に、幅方向に長く、上側が凸状で下側が凹状の断面半円弧状の後側リブ６０と前側リブ６１とを前後方向に離隔した状態で形成している。
具体的には、前記後側リブ６０を、幅方向両端縁が、前記ブリッジ板部５５ａの幅方向両端縁（前記１対の側方傾斜板部５８、５８の幅方向外端縁）よりも幅方向外側に位置した状態で形成している。即ち、前記後側リブ６０の幅方向両端部を、前記１対のサイド板部５６ａ、５６ａの幅方向内端部に位置させている。つまり、前記後側リブ６０を、前記ブリッジ板部５５ａと前記１対のサイド板部５６ａ、５６ａとを跨ぐ状態で形成している。尚、本例の場合、前記後側リブ６０のうち、前記ブリッジ板部５５ａの幅方向端縁と前記１対のサイド板部５６ａ、５６ａのうちの一方（図１５の右側、図１６の左側）のサイド板部５６ａとの連続部（折れ曲がり部）に位置する部分、又は、前記後側リブ６０のうち、前記ブリッジ板部５５ａの幅方向端縁と前記１対のサイド板部５６ａ、５６ａのうちの他方（図１５の左側、図１６の右側）のサイド板部５６ａとの連続部に位置する部分が、特許請求の範囲に記載した１対の補強部のうちの一方の補強部に相当する。
【手続補正２】
【補正対象書類名】明細書
【補正対象項目名】００４６
【補正方法】変更
【補正の内容】
【００４６】
又、前記ブリッジ板部５５ａを構成する１対の側方傾斜板部５８、５８の幅方向外端部の前端部（前記前側リブ６１よりも前側部分である前方張り出し部９７、９７）と、前記１対のサイド板部５６ａ、５６ａの幅方向内端部の前端部との連続部（折れ曲がり部）に、前記１対の側方傾斜板部５８、５８と前記１対のサイド板部５６ａ、５６ａとを掛け渡す（跨ぐ）状態で、下側が凹状で上側が凸状の１対のサイドリブ６２、６２を形成している。これら１対のサイド板部５６ａ、５６ａの幅方向寸法は、前記後側リブ６０及び前記前側リブ６１の同方向に関する寸法よりも十分に小さく、これら１対のサイドリブ６２、６２は、前記連続部の近傍のみに設けられている。本例の場合、これら１対のサイドリブ６２、６２が、特許請求の範囲に記載した１対の補強部のうちの他方の補強部に相当する。尚、前記ブリッジ板部５５ａの構造次第で、前記他方の補強部とこの他方の第二の補強部とを、前述した後側リブ６０の様に、幅方向に連続した状態で形成する事もできる。
以上の様な構成を有する１対のサイドリブ６２、６２と、前記後側リブ６０の幅方向両端部とにより、前記ブリッジ板部５５ａの幅方向両端部（前記１対の側方傾斜板部５８、５８の幅方向外端部）と前記１対のサイド板部５６ａ、５６ａの幅方向内端部との連続部の剛性（例えば、前記ブリッジ板部５５ａの前端部又は後端部が、上方又は下方に変位する様に、前記１対のサイド板部５６ａ、５６ａに対して捩れる事に対する剛性）を高くしている。尚、前記１対のサイドリブ６２、６２のうちの一方のサイドリブ６２のみを設けて、他方のサイドリブ６２を省略する事もできる。
【手続補正３】
【補正対象書類名】明細書
【補正対象項目名】００５４
【補正方法】変更
【補正の内容】
【００５４】
又、図１９（ｅ）及び（ｆ）に示す様に、前記各支持板本体６４、６４よりも幅方向寸法が厚い板状部分により補強部６５ｄ、６５ｅを構成する事もできる。このうちの図１９（ｅ）に示す補強部６５ｄは、上下方向及び前後方向に関して厚さ寸法が変化しない。又、前記各支持板本体６４、６４の幅方向内側面と前記補強部６５ｄの幅方向内側面とを同一面上に存在させている。
一方、図１９（ｆ）に示す補強部６５ｅは、上下方向の全長に亙り前方に向かうほど厚さ寸法が大きくなる。この場合には、前記各支持板本体６４、６４の幅方向内側面と前記補強部６５ｅの幅方向内側面とを同一面上に存在させると共に、この補強部６５ｅの幅方向外側面を、前側に向かうほど幅方向外側に向かう方向に傾斜させている。尚、図示の例では、前記補強部６５ｄ、６５ｅは、前記各支持板本体６４、６４と一体に設けているが、例えば、別体に設けた前記仮想平面に関する断面が略矩形状の棒状（又は板状）部材、或いは、略三角形状の棒状（又は板状）部材を、前記各支持板本体６４、６４の幅方向外側面の前端部｛図１９（ｅ）及び（ｆ）に二点鎖線で示す部分｝に溶接により結合した構造とする事もできる。更に、各支持板本体６４、６４の前端部を後方に１８０度折り返して、この折り返した部分を補強部とする事もできる。
以上の様に、補強部の構造としては、補強部が設けられていない場合（前記各支持板本体６４、６４の前端部）と比べて、幅方向に関する断面係数を高くできる各種構造のものを採用できる。
【手続補正４】
【補正対象書類名】明細書
【補正対象項目名】００７３
【補正方法】変更
【補正の内容】
【００７３】
又、前記取付板部５４ｂが、ブリッジ板部５５ｂと、このブリッジ板部５５ｂの幅方向両端部に溶接により固定された１対のサイド板部５６ｂ、５６ｂとにより構成されている。
このうちのブリッジ板部５５ｂは、下方及び前後方向両端が開口した略ハット型である。具体的には、このブリッジ板部５５ｂは、幅方向に平行な状態で設けられた中央板部５７ａと、この中央板部５７ａの幅方向両端縁から幅方向外側に向かうほど下側に向かう方向に傾斜した状態で設けられた１対の側方傾斜板部５８ａ、５８ａと、これら１対の側方傾斜板部５８ａ、５８ａの幅方向外端縁から幅方向外側に、幅方向に平行な状態で延出した１対の接合板部９４、９４とから成る。本参考例の場合、これら１対の接合板部９４、９４の幅方向外端面を、平坦面としている。この様なブリッジ板部５５ｂが鋼製の場合には、このブリッジ板部５５ｂの厚さ寸法を、１．３〜２．６ｍｍ（例えば、２．６ｍｍ）とする事ができる。
尚、本参考例の場合、前記ブリッジ板部５５ｂに、前述した実施の形態の１例の構造が備える後側リブ６０、前側リブ６１、及びサイドリブ６２に相当するリブを設けていない。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
クリノプチロライト及びモルデナイトを含むゼオライトと、ケイ酸カルシウムとを含み、
前記クリノプチロライトの結晶子径が１５〜２６．５ｎｍ、前記モルデナイトの結晶子径が３９〜４８ｎｍであり、
前記ゼオライトと前記ケイ酸カルシウムとの質量比が４．０：１〜１．１：１である
ことを特徴とする水処理材。
【請求項２】
クリノプチロライト及びモルデナイトを含むゼオライトと、ケイ酸カルシウムを与える材料とを５０：５０〜７５：２５の質量比で混合した後、７００〜８５０℃の温度で焼成することを特徴とする水処理材の製造方法。
【請求項３】
前記ゼオライトと、前記ケイ酸カルシウムを与える材料との質量比が５５：４５〜７５：２５であることを特徴とする請求項２に記載の水処理材の製造方法。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
ラクトバチルス属の乳酸菌を有効成分として含有することを特徴とする、グレリン分泌促進剤。
【請求項２】
前記ラクトバチルス属の乳酸菌が、ラクトバチルス・ガセリであることを特徴とする請求項１に記載のグレリン分泌促進剤。
【手続補正書】
【提出日】令和1年7月3日(2019.7.3)
【手続補正１】
【補正対象書類名】明細書
【補正対象項目名】００２５
【補正方法】変更
【補正の内容】
【００２５】
［キクバヤマボクチ抽出物の調製］
植物原料から抽出物を調製する一般的方法を適宜採用することができるが、溶媒抽出法が望ましい。溶媒抽出については、水、エタノール等の極性溶媒を用いることが望ましく、水とその他の極性溶媒を同時に用いることがさらに望ましい。さらに、抽出物を活性炭処理、液液分配、カラムクロマトグラフィー、液体クロマトグラフィー、ゲル濾過、等によって、分離精製し、さらに活性の高い画分（成分）を抽出することもできる。
【手続補正２】
【補正対象書類名】明細書
【補正対象項目名】００２９
【補正方法】変更
【補正の内容】
【００２９】
【表１】
2018008905.tif 000001
【手続補正３】
【補正対象書類名】明細書
【補正対象項目名】００３１
【補正方法】変更
【補正の内容】
【００３１】
【表２】
2018008905.tif 000002
上記の通り、キクバヤマボクチエキスにＤＰＰＨラジカル消去効果が認められた。
【手続補正４】
【補正対象書類名】明細書
【補正対象項目名】００３３
【補正方法】変更
【補正の内容】
【００３３】
【表３】
2018008905.tif 000003
上記の通り、キクバヤマボクチエキスのＵＶＢに起因する炎症関連分子であるTNF−α遺伝子の発現抑制効果が認められる。
【手続補正５】
【補正対象書類名】明細書
【補正対象項目名】００３５
【補正方法】変更
【補正の内容】
【００３５】
【表４】
2018008905.tif 000004
得られたdot-blotting（図１）を解析した結果、上記の通り、キクバヤマボクチエキスのglyoxalに起因するAGEs形成の抑制効果が認められた。
【手続補正６】
【補正対象書類名】明細書
【補正対象項目名】００３７
【補正方法】変更
【補正の内容】
【００３７】
【表５】
2018008905.tif 000005
上記の通り、キクバヤマボクチエキスの保湿効果が認められた。
【手続補正７】
【補正対象書類名】明細書
【補正対象項目名】００３９
【補正方法】変更
【補正の内容】
【００３９】
【表６】
2018008905.tif 000006
上記の通り、天然保湿因子ＮＭＦの増加によるバリア機能が向上の指標となるclaudin-1（CLDN1）およびfilaggrin（FLG）の増加が認められた。
【手続補正８】
【補正対象書類名】明細書
【補正対象項目名】００４１
【補正方法】変更
【補正の内容】
【００４１】
【表７】
2018008905.tif 000007
得られたdot-blotting（図２）を解析した結果、上記の通り、UVB起因する皮膚老化度合の指標である変性タンパク質の一種4-HNEMPの形成抑制効果が認められた。
【手続補正９】
【補正対象書類名】明細書
【補正対象項目名】００４２
【補正方法】変更
【補正の内容】
【００４２】
［化粧水］
実施例１のキクバヤマボクチエキスを使用して以下の構成成分を常法で調製した。（数値は重量％）
また、比較例として、キクバヤマボクチエキス分を精製水で置換したものを調製した。
【表８】
2018008905.tif 000008
【手続補正１０】
【補正対象書類名】明細書
【補正対象項目名】００４３
【補正方法】変更
【補正の内容】
【００４３】
［ローションタイプ］
実施例１のキクバヤマボクチエキスを使用して以下の構成成分を常法で調製した。（数値は重量％）
また、比較例として、キクバヤマボクチエキス分を精製水で置換したものを調製した。
【表９】
2018008905.tif 000009
【手続補正１１】
【補正対象書類名】明細書
【補正対象項目名】００４４
【補正方法】変更
【補正の内容】
【００４４】
［クリーム剤］
実施例１のキクバヤマボクチエキスを使用して以下の構成成分を常法で調製した。（数値は重量％）
また、比較例として、キクバヤマボクチエキス分を精製水で置換したものを調製した。
【表１０】
2018008905.tif 000010
【手続補正１２】
【補正対象書類名】明細書
【補正対象項目名】００４５
【補正方法】変更
【補正の内容】
【００４５】
［パック剤］
実施例１のキクバヤマボクチエキスを使用して以下の構成成分を常法で調製した。（数値は重量％）
また、比較例として、キクバヤマボクチエキス分を精製水で置換したものを調製した。
【表１１】
2018008905.tif 000011
【手続補正１３】
【補正対象書類名】明細書
【補正対象項目名】００４７
【補正方法】変更
【補正の内容】
【００４７】
【表１２】
2018008905.tif 000012
上記の通り、キクバヤマボクチエキスの抗皮膚老化剤及びこれを含む化粧料の抗皮膚老化効果が認められた。
【誤訳訂正書】
【提出日】平成30年11月20日(2018.11.20)
【誤訳訂正１】
【訂正対象書類名】特許請求の範囲
【訂正対象項目名】全文
【訂正方法】変更
【訂正の内容】
【特許請求の範囲】
【請求項１】
約２から約３７グラムの間の水溶性ナトリウム塩；
少なくとも１つの水溶性カリウム塩；
エリスリトール；
ビソキサチン（または２，２−ビス（４−ヒドロキシフェニル）−２Ｈ−ベンゾ［ｂ］［１，４］オキサジン−３（４Ｈ）−オン）、もしくは酢酸ビソキサチン；および
造影剤、バリウム含有組成物または製剤、ヨウ素含有組成物または製剤、ジアトリゾ酸、メトリゾ酸、イオキサグレート（ｉｏｘａｌｇａｔｅ）、イオパミドール、イオヘキソール、イオキシラン、イオプロミド（ｉｏｐｒａｍｉｄｅ）、イオジキサノール、および／またはジアトリゾ酸もしくはそのアニオン形態のジアトリゾ酸の１つ以上；
を含む組成物、医薬組成物または製剤。
【請求項２】
組成物が、約１０ｍｇから約５グラム以上の間のビソキサチンまたは酢酸ビソキサチンを含む、請求項１に記載の組成物、医薬組成物または製剤。
【請求項３】
組成物が、約１０ｍｇから約０．５、１、２、２．５、３、３．５、４、４．５もしくは５グラム以上の間のビソキサチンまたは酢酸ビソキサチンを含む、請求項１に記載の組成物、医薬組成物または製剤。
【請求項４】
組成物が、約７５ｍｇから、約２００ｍｇの間のビソキサチンまたは酢酸ビソキサチンを含む、請求項２または３に記載の組成物、医薬組成物または製剤。
【請求項５】
組成物が、約７５、８０、８５、９０もしくは１００ｍｇから、約１５０から２００ｍｇの間のビソキサチンまたは酢酸ビソキサチンを含む、請求項２または３に記載の組成物、医薬組成物または製剤。
【請求項６】
組成物が、約１００ｍｇから約５グラム（ｇ）以上の間のビソキサチンまたは酢酸ビソキサチンを含む、請求項１に記載の組成物、医薬組成物または製剤。
【請求項７】
組成物が、約１００、１１０、１２０、１３０、１４０または１５０ｍｇから約１、２、３、４、４．５または５グラム（ｇ）以上の間のビソキサチンまたは酢酸ビソキサチンを含む、請求項１に記載の組成物、医薬組成物または製剤。
【請求項８】
造影剤が、ジアトリゾ酸塩（ガストログラフィン）である、請求項１に記載の組成物、医薬組成物または製剤。
【請求項９】
組成物中の水溶性カリウム塩の重量が、ナトリウム塩の重量の約０．０５から約１倍である、請求項１から７のいずれか一項に記載の組成物、医薬組成物または製剤。
【請求項１０】
組成物におけるナトリウム塩に対するカリウム塩の比率は、約１：１から約１：８である、請求項１から８のいずれか一項に記載の組成物、医薬組成物または製剤。
【請求項１１】
組成物におけるナトリウム塩に対するカリウム塩の比率は、約１：１．５から約１：６である、請求項９に記載の組成物、医薬組成物または製剤。
【請求項１２】
組成物におけるナトリウム塩に対するカリウム塩の比率は、約１：１．２から約１：５である、請求項１１に記載の組成物、医薬組成物または製剤。
【請求項１３】
組成物におけるナトリウム塩に対するカリウム塩の比率は、約１：３である、請求項１２に記載の組成物、医薬組成物または製剤。
【請求項１４】
少なくとも１つの水溶性カリウム塩が、単位用量当たり約０．５から約５ｇの量で存在する、請求項１から１３のいずれか一項に記載の組成物、医薬組成物または製剤。
【請求項１５】
少なくとも１つの水溶性カリウム塩が、単位用量当たり約１ｇから約５ｇの量で存在する、請求項１から１３のいずれか一項に記載の組成物、医薬組成物または製剤。
【請求項１６】
更に、水溶性マグネシウム塩を含有する、請求項１から１４のいずれかの請求項に記載の組成物、医薬組成物または製剤。
【請求項１７】
組成物におけるナトリウムイオンの重量に対するマグネシウムイオンの重量の比率は、約１：５から約５：１である、請求項１６に記載の組成物、医薬組成物または製剤。
【請求項１８】
組成物におけるナトリウムイオンの重量に対するマグネシウムイオンの重量の比率は、約１：３から約３：１である、請求項１７に記載の組成物、医薬組成物または製剤。
【請求項１９】
組成物におけるナトリウムイオンの重量に対するマグネシウムイオンの重量の比率は、約１：２から約２：１である、請求項１８に記載の組成物、医薬組成物または製剤。
【請求項２０】
組成物におけるナトリウムイオンの重量に対するマグネシウムイオンの重量の比率は、約１：１である、請求項１９に記載の組成物、医薬組成物または製剤。
【請求項２１】
少なくとも１つのマグネシウム塩は、単位用量当たり約１ｇから約１０ｇの範囲の量で存在する、請求項１から２０のいずれか一項に記載の組成物、医薬組成物または製剤。
【請求項２２】
少なくとも１つのマグネシウム塩は、単位用量当たり約３ｇから約５ｇの範囲の量で存在する、請求項２１に記載の組成物、医薬組成物または製剤。
【請求項２３】
水溶性ナトリウム塩は、硫酸ナトリウム、塩化ナトリウム、グルコン酸ナトリウム、クエン酸ナトリウム、アスパラギン酸ナトリウムおよびこれらの混合物からなる群から選択され、
水溶性カリウム塩は、硫酸カリウム、塩化カリウムおよび酒石酸カリウムからなる群から選択され、又は、
水溶性マグネシウム塩は、硫酸マグネシウム、クエン酸マグネシウムおよびリン酸マグネシウムならびにこれらの混合物からなる群から選択される、
請求項１から２２のいずれか一項に記載の組成物、医薬組成物または製剤。
【請求項２４】
更に、ピコスルファートナトリウム、硫酸ナトリウム、ビサコジルまたはこれらの組合せを含む、請求項１から２３のいずれか一項に記載の組成物、医薬組成物または製剤。
【請求項２５】
調味料成分、クエン酸塩、乳酸塩、酢酸塩、微量元素および栄養素からなる群から選択される少なくとも１つの組成物または添加剤をさらに含む、請求項１から２４のいずれか一項に記載の組成物、医薬組成物または製剤。
【請求項２６】
クエン酸塩、乳酸塩、酢酸塩、カルシウム、亜鉛、ビタミンＢ複合体、ビタミンＢ１、ビタミンＡ、ビタミンＣ、ビタミンＥ、葉酸およびビオチンからなる群から選択される１つ以上の組成物または添加剤をさらに含む、請求項１から２５のいずれか一項に記載の組成物、医薬組成物または製剤。
【請求項２７】
単位用量の形態である、請求項１に記載の組成物、医薬組成物または製剤。
【請求項２８】
色素もしくは生体染色剤、またはマーカーをさらに含む、請求項１から２６に記載の組成物、医薬組成物または製剤。
【請求項２９】
界面活性剤をさらに含む、請求項１から２６に記載の組成物、医薬組成物または製剤。
【請求項３０】
潤滑剤をさらに含む、請求項１から２６のいずれか一項に記載の組成物、医薬組成物または製剤。
【請求項３１】
バイオフィルム破壊化合物をさらに含む、請求項１から２６のいずれか一項に記載の組成物、医薬組成物または製剤。
【請求項３２】
治療を必要とする患者の結腸の手術前洗浄を誘導するための、請求項１から３１のいずれか一項に記載の下剤組成物、医薬組成物または製剤。
【請求項３３】
治療を必要とする患者の結腸の瀉下を誘導するための、請求項１から３１のいずれか一項に記載の下剤組成物、医薬組成物または製剤。
【手続補正書】
【提出日】令和1年7月22日(2019.7.22)
【手続補正１】
【補正対象書類名】明細書
【補正対象項目名】００２７
【補正方法】変更
【補正の内容】
【００２７】
上記式（Ｉ）で示される化合物は、尿素誘導体の一態様である。
式（Ｉ）中、Ｒ１、Ｒ２、Ｒ３及びＲ４はそれぞれ独立に水素原子又は炭素数１〜３のアルキル基を表し、アルキル基は置換基としてヒドロキシ基を有するヒドロキシアルキル基であってもよい。但し、Ｒ１、Ｒ２、Ｒ３及びＲ４のすべてが水素原子であることはない。式（Ｉ）で表される化合物のなかでも、Ｒ１及びＲ３がメチル基であり、且つ、Ｒ２及びＲ４が水素原子である化合物、Ｒ３及びＲ４がメチル基又はエチル基であり、且つ、Ｒ１及びＲ２が水素原子である化合物、Ｒ１、Ｒ２、Ｒ３又はＲ４のいずれか一つがメチル基又はエチル基であり、その他が水素原子である化合物が好ましい。
【手続補正２】
【補正対象書類名】明細書
【補正対象項目名】００４７
【補正方法】変更
【補正の内容】
【００４７】
＜セメント組成物に含まれる材料＞
・水硬性材料：普通ポルトランドセメント（密度３．１６ｇ／ｃｍ３、比表面積３２９０ｃｍ２／ｇ）
・収縮低減剤（Ａ−１）：尿素誘導体（密度１．１４ｇ／ｃｍ３、分子量８８、式（Ｉ）で表される化合物であり、Ｒ１及びＲ３がメチル基であり、Ｒ２及びＲ４が水素であるジメチル尿素）
・収縮低減剤（Ａ−２）：無水ベタイン（密度１．００ｇ／ｃｍ３、分子量１１７、式（ＩＩ）で表される化合物であり、３つのＲ５がいずれもメチル基である化合物）
・ヘキサメチレンテトラミン（Ａ−３）：密度１．３４ｇ／ｃｍ３、分子量１４０（式（ＩＩＩ）で表される化合物）
・比較収縮低減剤（ＣＡ−１）：ポリエーテル誘導体であるポリアルキレングリコールモノアルキルエーテルを含む、密度１．０１ｇ／ｃｍ３）
・細骨材：ＪＩＳ標準砂
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
酸化物換算組成の質量％で、
Ｂ２Ｏ３成分  １０．０〜４０．０％、
Ｌａ２Ｏ３成分  １５．０〜５０．０％、
ＺｎＯ成分  １０．０〜４５．０％
であり、
酸化物基準での質量和（Ｌａ２Ｏ３＋Ｙ２Ｏ３＋ＺｎＯ）が３０．０〜８０．０％であり、屈折率（ｎｄ）が１．７５〜１．８８であり、アッベ数（νｄ）が３５〜４５であることを特徴とする光学ガラス。
【請求項２】
酸化物換算組成の質量％で、
ＳｉＯ２成分  ０〜１５．０％、
ＺｒＯ２成分  ０〜１５．０％、
Ｎｂ２Ｏ５成分  ０〜２０．０％、
ＷＯ３成分  ０〜２０．０％、
Ｙ２Ｏ３成分  ０〜２０．０％、
Ｇｄ２Ｏ３成分  ０〜２０．０％、
Ｙｂ２Ｏ３成分  ０〜２０．０％、
ＭｇＯ成分  ０〜１５．０％、
ＣａＯ成分  ０〜１５．０％、
ＳｒＯ成分  ０〜１５．０％、
ＢａＯ成分  ０〜２０．０％、
Ｌｉ２Ｏ成分  ０〜１０．０％、
Ｎａ２Ｏ成分  ０〜５．０％、
Ｋ２Ｏ成分  ０〜５．０％、
ＴｉＯ２成分  ０〜１０．０％、
Ｂｉ２Ｏ３成分  ０〜１０．０％、
Ｐ２Ｏ５成分  ０〜１０．０％、
Ｔａ２Ｏ５成分  ０〜１０．０％、
Ａｌ２Ｏ３成分  ０〜１０．０％、
Ｇａ２Ｏ３成分  ０〜１０．０％、
ＧｅＯ２成分  ０〜１０．０％、
ＴｅＯ２成分  ０〜１５．０％、
ＳｎＯ２成分  ０〜３．０％及び
Ｓｂ２Ｏ３成分  ０〜３．０％
である請求項１記載の光学ガラス。
【請求項３】
酸化物換算組成の質量比（Ｌａ２Ｏ３＋Ｙ２Ｏ３＋Ｎｂ２Ｏ５＋ＷＯ３）／（Ｂ２Ｏ３＋ＺｎＯ）が３．００以下である請求項１から２のいずれか記載の光学ガラス。
【請求項４】
請求項１から３のいずれか記載の光学ガラスからなるプリフォーム材。
【請求項５】
請求項１から４のいずれか記載の光学ガラスからなる光学素子。
【請求項６】
請求項５に記載の光学素子を備える光学機器。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
主玩具体と、
前記主玩具体に着脱可能に装着される副玩具体と、
を備え、
前記副玩具体は、
透明又は半透明な素材からなり絵柄が描かれた挿入部と、
少なくとも光による演出を出力し、当該光は前記挿入部に導かれ前記絵柄を浮かびあがらせる演出出力部と、
前記演出出力部を作動させるスイッチと、
を有し、
前記主玩具体は、
操作部と、
前記挿入部が挿入されることにより前記副玩具体を装着可能な装着部であって、前記操作部の操作に応じて移動され、移動されることにより、当該装着部に装着された前記副玩具体の前記スイッチをオンにする可動部を含む装着部と、
窓部と、 
を有し、
前記装着部に装着された前記副玩具体の前記挿入部の前記絵柄は、前記操作部の操作による前記可動部の移動により前記スイッチがオンになり前記演出出力部からの光が前記挿入部に導かれることによって浮かびあがり前記窓部から視認可能となる、
演出出力玩具。
【請求項２】
請求項１記載の演出出力玩具であって、
前記主玩具体及び前記副玩具体の少なくとも一方は、使用者に装着可能、又は使用者によって把持可能である演出出力玩具。
【請求項３】
請求項１または２のいずれか一項記載の演出出力玩具に用いられる前記副玩具体。
【手続補正２】
【補正対象書類名】明細書
【補正対象項目名】０００６
【補正方法】変更
【補正の内容】
【０００６】
本発明に係る演出出力玩具は、主玩具体と、前記主玩具体に着脱可能に装着される副玩具体と、を備え、前記副玩具体は、演出出力部と、前記演出出力部を作動させる第１スイッチ及び第２スイッチと、前記演出出力部の動作データとして、前記第１スイッチがオンとされ、次いで前記第２スイッチがオンとされる場合に対応する第１動作データ、及び前記第２スイッチがオンとされ、次いで前記第１スイッチがオンとされる場合に対応する第２動作データを含む動作データを記憶した記憶部と、前記記憶部に記憶されている前記動作データのうち前記第１スイッチ及び前記第２スイッチの押圧順に対応する動作データに基づいて前記演出出力部の動作を制御する制御部と、を有し、前記主玩具体は、操作部と、前記副玩具体が装着可能な装着部であって、当該装着部に装着される前記副玩具体の前記第１スイッチをオンにする固定部、及び前記操作部の操作に応じて移動され、移動されることにより、当該装着部に装着された前記副玩具体の前記第２スイッチをオンにする可動部を含む第１装着部と、前記副玩具体３が装着可能な装着部であって、当該装着部に装着される前記副玩具体の前記第２スイッチをオンにする固定部、及び前記操作部の操作に応じて移動され、移動されることにより、当該装着部に装着された前記副玩具体の前記第１スイッチをオンにする可動部を含む第２装着部と、を有することを特徴とする。また、本発明に係る演出出力玩具は、主玩具体と、前記主玩具体に着脱可能に装着される副玩具体と、を備え、前記副玩具体は、透明又は半透明な素材からなり絵柄が描かれた挿入部と、  少なくとも光による演出を出力し、当該光は前記挿入部に導かれ前記絵柄を浮かびあがらせる演出出力部と、前記演出出力部を作動させるスイッチと、を有し、前記主玩具体は、  操作部と、前記挿入部が挿入されることにより前記副玩具体を装着可能な装着部であって、前記操作部の操作に応じて移動され、移動されることにより、当該装着部に装着された前記副玩具体の前記スイッチをオンにする可動部を含む装着部と、窓部と、を有し、前記装着部に装着された前記副玩具体の前記挿入部の前記絵柄は、前記操作部の操作による前記可動部の移動により前記スイッチがオンになり前記演出出力部からの光が前記挿入部に導かれることによって浮かびあがり前記窓部から視認可能となることを特徴とする。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
ゲームプレイで使用される楽曲に対応付けられた演出全体データであって、複数の演出部分データを予め組み合せて構成された演出全体データを、プレイヤーによって選択された演出コンテンツに対応付けられた演出部分データが含まれるように変更する演出設定変更部と、
変更後の前記演出全体データに基づいて、前記楽曲の進行に合わせた演出が行われるように制御する演出制御部と、
前記楽曲の進行に合わせてゲーム操作するように前記プレイヤーに指示する操作指示部と、
前記プレイヤーのゲーム操作に基づいて、その指示どおりに操作できたか否かを評価するゲーム評価部と、
を備え、
前記演出コンテンツに対応付けられた前記演出部分データには、その演出を発動させるための発動条件が含まれており、
前記演出制御部は、変更後の前記演出全体データを構成する複数の演出部分データのうち、前記発動条件が成立した演出部分データの演出が、前記楽曲の進行に合わせて行われるように制御する、
ことを特徴とする情報処理装置。
【請求項２】
請求項１に記載の情報処理装置であって、
前記演出部分データに含まれる前記発動条件は、前記ゲーム評価部によるゲーム評価に関する条件である、
ことを特徴とする情報処理装置。
【請求項３】
請求項１又は２に記載の情報処理装置であって、
前記演出コンテンツに対応付けられた演出部分データには、少なくとも、
ゲーム画面の背景に関する演出を規定するデータ、プレイヤーがゲームで用いるプレイヤーキャラクターの動作に関する演出を規定するデータ、前記プレイヤーキャラクター以外の他のキャラクターをゲーム画面上に登場させる演出を規定するデータ、及び、ゲーム画面上で前記プレイヤーキャラクターが装着する衣類に関する演出を規定するデータが、前記楽曲中において演出を行う要素として設定されている、
ことを特徴とする情報処理装置。
【請求項４】
請求項１乃至３のいずれかに記載の情報処理装置であって、
前記演出設定変更部は、前記プレイヤーが設定画面にて所望の演出コンテンツを選択することにより、予め構成された前記演出全体データを、前記プレイヤーによって選択された前記演出コンテンツに対応付けられた演出部分データが含まれるように変更し、
前記設定画面には、前記プレイヤーによって選択された前記演出コンテンツに対応付けられた演出部分データの演出を簡易的に再現した表示領域が含まれる、
ことを特徴とする情報処理装置。
【請求項５】
請求項４に記載の情報処理装置であって、
前記演出設定変更部は、前記プレイヤーが前記設定画面にて所望の演出コンテンツを選択して複数のスロットのうちのいずれかに対応付けて設定することにより、予め構成された前記演出全体データを、前記プレイヤーによって選択された前記演出コンテンツに対応付けられた演出部分データが含まれるように変更し、
前記複数のスロットには、設定された前記演出コンテンツに対応付けられた演出部分データの演出が、優先して発動するようにするための優先スロットが含まれる、
ことを特徴とする情報処理装置。
【請求項６】
請求項１乃至５のいずれかに記載の情報処理装置であって、
変更前後の前記演出全体データを比較してどの程度一致しているか否かを評価する演出評価部と、
を備えたことを特徴とする情報処理装置。
【請求項７】
コンピューターに、
ゲームプレイで使用される楽曲に対応付けられた演出全体データであって、複数の演出部分データを予め組み合せて構成された演出全体データを、プレイヤーによって選択された演出コンテンツに対応付けられた演出部分データが含まれるように変更する演出設定変更処理と、
変更後の前記演出全体データに基づいて、前記楽曲の進行に合わせた演出が行われるように制御する演出制御処理と、
前記楽曲の進行に合わせてゲーム操作するように前記プレイヤーに指示する操作指示処理と、
前記プレイヤーのゲーム操作に基づいて、その指示どおりに操作できたか否かを評価するゲーム評価処理と、
を実行させ、
前記演出コンテンツに対応付けられた前記演出部分データには、その演出を発動させるための発動条件が含まれており、
前記演出制御処理では、変更後の前記演出全体データを構成する複数の演出部分データのうち、前記発動条件が成立した演出部分データの演出が、前記楽曲の進行に合わせて行われるように制御する、
ことを特徴とするゲームプログラム。
【請求項８】
コンピューターが、
ゲームプレイで使用される楽曲に対応付けられた演出全体データであって、複数の演出部分データを予め組み合せて構成された演出全体データを、プレイヤーによって選択された演出コンテンツに対応付けられた演出部分データが含まれるように変更し、
変更後の前記演出全体データに基づいて、前記楽曲の進行に合わせた演出が行われるように制御し、
前記楽曲の進行に合わせてゲーム操作するように前記プレイヤーに指示し、
前記プレイヤーのゲーム操作に基づいて、その指示どおりに操作できたか否かを評価する情報処理方法であって、さらに、
前記演出コンテンツに対応付けられた前記演出部分データには、その演出を発動させるための発動条件が含まれており、
前記楽曲の進行に合わせた演出が行われるように制御する際には、
変更後の前記演出全体データを構成する複数の演出部分データのうち、前記発動条件が成立した演出部分データの演出が、前記楽曲の進行に合わせて行われるように制御する、
ことを特徴とする情報処理方法。
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
各商品を推奨条件と関連付けて管理する商品データを記憶する商品データ記憶手段と、
前記推奨条件に基づいて前記商品データによって管理される複数の商品の少なくとも一部の商品を特定する商品特定手段と、
前記商品特定手段の特定結果に基づいて、前記ゲームの各ユーザが案内条件を満たす場合に前記一部の商品を案内する案内機会を前記ゲームのプレイに伴い提供する商品案内手段と、
前記商品を購入するために前記ユーザによって行われる入力を受ける入力部と、
前記入力に基づいて、前記商品が購入されるための処理の完了条件が満たされたか否かを判別する判別部と、を備える、
ゲーム機。
【請求項２】
前記完了条件が満たされなかった場合、前記完了条件が満たされるための補完処理を行う、請求項１に記載のゲーム機。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
タッチパネルに対するタッチ操作に応じて、前記タッチ操作が行われたことを示すタッ
チ操作オブジェクトを表示手段に表示させるための制御を行う表示制御手段と、
前記タッチ操作を複数回続けて行う連続タッチ操作が行われた場合に、所定のゲーム処
理を実行する処理実行手段と、
を含み、
前記表示制御手段は、前記連続タッチ操作が行われた場合に表示される前記タッチ操作
オブジェクトの表示態様を、前記タッチ操作を一回行う単一タッチ操作が行われた場合に
表示される前記タッチ操作オブジェクトの表示態様とは異なる表示態様に設定する、
ことを特徴とするゲーム制御装置。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
病院の消火システムであって、
スプリンクラーヘッドと、前記スプリンクラーヘッドに水を供給するためのスプリンクラー用配管とを有し、前記スプリンクラー用配管が常態で負圧状態に維持されている負圧スプリンクラーシステムと、
前記スプリンクラー用配管に負圧を供給するための負圧装置とを備えた、病院の消火システム。
【請求項２】
前記スプリンクラー用配管内に常態で水が充填されており負圧状態に保たれている、請求項１に記載の病院の消火システム。
【請求項３】
前記スプリンクラー用配管内に常態で水が充填されておらず負圧状態に保たれている、請求項１に記載の病院の消火システム。
【請求項４】
温度が０℃超に保たれている区画内に前記スプリンクラーヘッドが設置される、請求項３に記載の病院の消火システム。
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
音を発することができる遊戯用ボールであって、
装着部を内部に有するボール本体部と、前記ボール本体部の前記装着部に着脱可能に装着可能な音出力部と、前記装着部を除く前記ボール本体部内に空気を注入するための空気注入部と、を備え、
前記音出力部は、前記装着部の内面との間に密接状態で変位できる円筒状を成した密接部と、前記密接部に覆われる音出力ユニットとを有し、
前記空気注入部は、前記装着部に設けられ、前記音出力部を前記装着部に装着することにより前記装着部を除く前記ボール本体部内に空気注入が為されるように構成され、
前記音出力ユニットは、前記音出力部を前記装着部に装着することにより前記ボール本体部の中央に位置する、
遊戯用ボール。
【請求項２】
前記音出力ユニットの電源スイッチは、前記音出力部を前記装着部から取り出した状態でオンとすることが可能に構成されている、
請求項１に記載の遊戯用ボール。
【請求項３】
前記音出力ユニットは、前記音出力部内に着脱可能に設置されている、
請求項１または２に記載の遊戯用ボール。
【請求項４】
前記ボール本体部は、前記装着部内に形成された第１の空間を有するとともに、前記装着部を除くボール本体部内に形成された第２の空間を有しており、
前記空気注入は、前記第１の空間から前記第２の空間に向かって為されるように構成されている、
請求項１〜３のいずれか１項に記載の遊戯用ボール。
【請求項５】
前記ボール本体部は、少なくとも表面が軟質材から形成されている、
請求項１〜４のいずれか１項に記載の遊戯用ボール。
【請求項６】
前記ボール本体部は、球体の表面一部を平らに切り取ったような外観を有しており、表面一部に平坦面を有している、
請求項１〜５のいずれか１項に記載の遊戯用ボール。
【請求項７】
前記ボール本体部の前記装着部に装着された前記音出力部の少なくとも一部は、前記ボール本体部の前記表面一部を構成する、
請求項６に記載の遊戯用ボール。
【請求項８】
前記音出力部には、前記装着部の内面との気密性を高めるための弾性部材が設けられている、
請求項１〜７のいずれか１項に記載の遊戯用ボール。
【請求項９】
前記装着部は、底部を有する略柱形状を成しており、
前記音出力部の少なくとも一部は、底部を有する略柱形状を成している、
請求項１〜８のいずれか１項に記載の遊戯用ボール。
【請求項１０】
前記空気注入部は、前記装着部内から前記装着部を除く前記ボール本体部内への空気の流動のみを許容する弁である、
請求項１〜９のいずれか１項に記載の遊戯用ボール。
【請求項１１】
前記空気排出部は、前記装着部を除く前記ボール本体部内の空気の圧力が許容値よりも高くなったときに、前記装着部を除く前記ボール本体部内から前記装着部内への空気の流動のみを許容する弁である、
請求項１〜１０に記載の遊戯用ボール。
【請求項１２】
前記音出力ユニットは、制御部と、音記憶部と、スピーカと、衝撃センサと、電源部とを有している、
請求項１〜１１のいずれか１項に記載の遊戯用ボール。
【請求項１３】
前記音出力ユニットは、通常モードと省電力モードでの動作を可能とし、
前記通常モードにおいて、前記衝撃センサに加わる衝撃に基づいて音を発し、
前記省電力モードにおいて、前記電源部から前記制御部への電力供給を制限する、
請求項１２に記載の遊戯用ボール。
【手続補正２】
【補正対象書類名】明細書
【補正対象項目名】０００６
【補正方法】変更
【補正の内容】
【０００６】
本発明に係る遊戯用ボールは、音を発することができる遊戯用ボールであって、装着部を内部に有するボール本体部と、前記ボール本体部の前記装着部に着脱可能に装着可能な音出力部と、前記装着部を除く前記ボール本体部内に空気を注入するための空気注入部とを備え、前記音出力部は、前記装着部の内面との間に密接状態で変位できる円筒状を成した密接部と、前記密接部に覆われる音出力ユニットとを有し、
前記空気注入部は、前記装着部に設けられ、前記音出力部を前記装着部に装着することにより前記装着部を除く前記ボール本体部内に空気注入が為されるように構成され、前記音出力ユニットは、前記音出力部を前記装着部に装着することにより前記ボール本体部の中央に位置する。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
加工対象物の被加工面上の被加工部分を搬送手段による搬送によって加工領域へ順次送り込み、該加工対象物上の被加工部分を該加工領域で停止させた状態で、光照射手段からの加工光により加工する光加工装置において、
加工対象物上に検出用マークを形成するマーク形成手段と、
前記マーク形成手段により形成された検出用マークの位置を検出する位置検出手段と、
前記位置検出手段の検出結果に基づいて前記光照射手段からの加工光による加工位置を制御する加工位置制御を実行する制御手段とを有することを特徴とする光加工装置。
【請求項２】
請求項１に記載の光加工装置において、
前記制御手段が実行する加工位置制御は、前記搬送手段により加工対象物を所定の基準位置へ搬送させ、前記マーク形成手段により該加工対象物上の所定箇所に前記検出用マークを形成させた後、前記搬送手段により該加工対象物上の被加工部分を前記加工領域へ送り込む間欠搬送を行う際に前記位置検出手段により該検出用マークの位置を検出させ、その検出結果を用いて加工位置ズレを軽減させる制御であり、
前記所定の基準位置は、過去の加工時に前記加工対象物上の被加工部分を前記加工領域に停止させた時の停止位置であることを特徴とする光加工装置。
【請求項３】
請求項１又は２に記載の光加工装置において、
前記位置検出手段は、搬送方向における前記加工領域よりも下流側で、前記検出用マークの位置を検出することを特徴とする光加工装置。
【請求項４】
請求項３に記載の光加工装置において、
前記マーク形成手段は、前記光照射手段からの加工光によって加工対象物上の所定箇所を加工することにより前記検出用マークを形成することを特徴とする光加工装置。
【請求項５】
請求項４に記載の光加工装置において、
前記位置検出手段は、照明手段により照明された検出用マークを撮像して得られる撮像画像に基づいて、該検出用マークの位置を検出するものであり、
前記照明手段は、前記加工光によって加工された加工箇所と非加工箇所との間の前記撮像画像上のコントラストが白色光と比較して高い特定波長帯の照明光を照射することを特徴とする光加工装置。
【請求項６】
請求項１乃至５のいずれか１項に記載の光加工装置において、
前記マーク形成手段は、前記光照射手段からの加工光によって加工対象物上の被加工部分内の所定箇所を加工することにより前記検出用マークを形成することを特徴とする光加工装置。
【請求項７】
請求項１乃至６のいずれか１項に記載の光加工装置において、
前記制御手段は、搬送方向で隣り合う加工対象物上の２つの被加工部分が、互いに隣接するように、又は、互いに一部重複するように、前記加工の制御を実行することを特徴とする光加工装置。
【請求項８】
請求項１乃至７のいずれか１項に記載の光加工装置において、
前記マーク形成手段は、搬送方向に対して直交する幅方向における複数箇所に前記検出用マークを形成し、
前記位置検出手段は、前記複数箇所に形成された検出用マークの位置を検出し、
前記制御手段は、前記位置検出手段が検出した前記複数箇所の検出用マークの位置に基づいて前記加工位置制御を実行することを特徴とする光加工装置。
【請求項９】
請求項１乃至８のいずれか１項に記載の光加工装置において、
前記制御手段は、前記位置検出手段の検出結果に基づいて前記搬送手段により前記加工対象物を移動させることにより、前記加工位置制御を実行することを特徴とする光加工装置。
【請求項１０】
請求項１乃至９のいずれか１項に記載の光加工装置において、
前記制御手段は、前記位置検出手段の検出結果に基づいて加工データを補正することにより、前記加工位置制御を実行することを特徴とする光加工装置。
【請求項１１】
加工対象物上の被加工部分を加工領域で停止させた状態で加工光により加工するとともに、該加工対象物上に検出用マークを形成するステップと、
前記加工対象物の前記被加工部分を搬送して前記加工領域へ送り込み、前記検出用マークを検出し、前記検出用マークの検出結果に基づいた加工を行うステップとを有することを特徴とする光加工物の生産方法。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
液体に吐出のためのエネルギーを与える複数のエネルギー発生素子を備えた記録素子基板と、前記エネルギー発生素子と対向し前記液体を吐出する複数の吐出口を備えた吐出口形成部材と、前記記録素子基板と前記吐出口形成部材との間を延びる複数の第１の隔壁と、を有し、
前記複数の第１の隔壁は、それぞれが一つの前記エネルギー発生素子を備えた複数の圧力室を形成し、
前記複数のエネルギー発生素子は、前記記録素子基板の第１の面に第１の方向に配列されており、前記第１の面と垂直な方向における前記圧力室の高さに対する前記第１の方向における前記第１の隔壁の離間距離の比が４以上である、液体吐出ヘッド。
【請求項２】
前記圧力室の前記高さが１０μｍ以下である、請求項１に記載の液体吐出ヘッド。
【請求項３】
液体に吐出のためのエネルギーを与える複数のエネルギー発生素子を備えた記録素子基板と、前記エネルギー発生素子と対向し前記液体を吐出する複数の吐出口を備えた吐出口形成部材と、前記記録素子基板と前記吐出口形成部材との間を延びる複数の第１の隔壁と、を有し、
前記複数の第１の隔壁は、それぞれが一つの前記エネルギー発生素子を備えた複数の圧力室を形成し、
前記複数のエネルギー発生素子は、前記記録素子基板の第１の面に第１の方向に配列されており、前記吐出口の中心を通り前記第１の面と直交し前記第１の方向と平行な前記圧力室の断面において、前記液体の流速が最大値の９５％以上となる範囲の前記第１の方向における長さが、前記エネルギー発生素子の前記第１の方向における寸法より大きい、液体吐出ヘッド。
【請求項４】
前記複数の第１の隔壁は前記第１の面と平行で前記第１の方向と直交する第２の方向に延び、前記第１の隔壁の長さは前記エネルギー発生素子の前記第２の方向における寸法より大きい、請求項１から３のいずれか１項に記載の液体吐出ヘッド。
【請求項５】
前記記録素子基板を貫通し、前記圧力室と連通し、前記圧力室に前記液体を供給する複数の第１の連通孔を有し、前記圧力室の流路断面積が前記第１の連通孔の最少の流路断面積より小さい、請求項１から４のいずれか１項に記載の液体吐出ヘッド。
【請求項６】
前記複数の第１の連通孔は前記第１の方向に配列されており、前記複数の第１の連通孔の配列間隔は前記複数のエネルギー発生素子の配列間隔より大きい、請求項５に記載の液体吐出ヘッド。
【請求項７】
前記第１の連通孔を前記圧力室に接続し、前記液体を前記圧力室に供給する液体流路と、前記第１の隔壁から前記液体流路に突き出す突起と、を有している、請求項５または６に記載の液体吐出ヘッド。
【請求項８】
前記第１の連通孔を前記圧力室に接続し、前記液体を前記圧力室に供給する液体流路を有し、前記第１の面と垂直な方向における前記液体流路の最小高さが前記吐出口の最大径より小さい、請求項５または６に記載の液体吐出ヘッド。
【請求項９】
前記第１の連通孔を前記圧力室に接続し、前記液体を前記圧力室に供給する液体流路を有し、前記第１の面と垂直な方向における前記液体流路の高さが前記液体流路に沿った位置によって異なる、請求項５または６に記載の液体吐出ヘッド。
【請求項１０】
前記複数の第１の連通孔からなる連通孔列の前記第１の方向における中心位置が、前記複数の吐出口からなる吐出口列の前記第１の方向における中心位置と、前記第１の方向において一致している、請求項５から９のいずれか１項に記載の液体吐出ヘッド。
【請求項１１】
前記圧力室に関し前記第１の連通孔の反対側に、前記記録素子基板を貫通し、前記圧力室と連通する第２の連通孔を有している、請求項５から１０のいずれか１項に記載の液体吐出ヘッド。
【請求項１２】
互いに隣接する前記第１の連通孔の間に第２の隔壁が設けられている、請求項５から１１のいずれか１項に記載の液体吐出ヘッド。
【請求項１３】
複数の前記第２の隔壁が互いに隣接する前記第１の連通孔の間に設けられている、請求項１２に記載の液体吐出ヘッド。
【請求項１４】
前記第２の隔壁は前記第１の隔壁から分離している、請求項１２または１３に記載の液体吐出ヘッド。
【請求項１５】
前記第２の隔壁は前記第１の隔壁と一体化されている、請求項１２または１３に記載の液体吐出ヘッド。
【請求項１６】
前記圧力室内の液体は当該圧力室の外部との間で循環される、請求項１から１５のいずれか1項に記載の液体吐出ヘッド。
【請求項１７】
前記複数のエネルギー発生素子は、発熱して液体を発泡させることで前記液体を吐出する、請求項１から１６のいずれか1項に記載の液体吐出ヘッド。
【請求項１８】
複数の前記記録素子基板を備え、被記録媒体の幅に対応した長さを有する、請求項１から１７のいずれか1項に記載の液体吐出ヘッド。
【請求項１９】
長手方向を有し、前記複数の記録素子基板は前記長手方向に沿って直線状に配列される、請求項１８に記載の液体吐出ヘッド。
【請求項２０】
請求項１１に記載の液体吐出ヘッドと、前記圧力室の液体を前記第１の連通孔から前記第２の連通孔に向けて循環させる手段と、を有する液体吐出装置。